(57)【特許請求の範囲】
【請求項１】
ロック装置（１０）のロック状態を示すための表示装置（８）を備えた車両シート（１）用ロック装置（１０）であって、
前記表示装置（８）は、前記ロック装置（１０）がロックされているときに見える少なくとも１つのロックインジケータ（３１，３２）と、前記ロック装置（１０）がロック解除されているときに見える少なくとも１つのロック解除インジケータ（３３、３４）とを有し、前記表示装置（８）は、前記ロック装置（１０）がロックされているときにロック位置にあり、前記ロック装置（１０）がロック解除されているときにロック解除位置にある少なくとも１つのインジケータアーム（３０）を有し、
前記インジケータアーム（３０）は第１ロックインジケータ（３１）と第１ロック解除インジケータ（３３）とを有する表示領域（３９）を含み、
前記ロック装置（１０）は金属製保持シート（２０）を用いて前記車両シート（１）に固定され、前記ロック位置にある前記インジケータアーム（３０）によって覆われる第２ロック解除インジケータ（３４）が前記金属製保持シート（２０）に設けられていることを特徴とする、ロック装置（１０）。
【請求項２】
前記ロック装置（１０）がロック解除されているときに前記少なくとも１つのロックインジケータ（３１、３２）が覆われることを特徴とする、請求項１に記載のロック装置（１０）。
【請求項３】
前記ロック装置（１０）がロックされているときに前記少なくとも１つのロック解除インジケータ（３３、３４）が覆われることを特徴とする、請求項１又は２に記載のロック装置（１０）。
【請求項４】
前記インジケータアーム（３０）がそのロック位置からロック解除位置に旋回することができるように支持されることを特徴とする、請求項１から３のいずれか１項に記載のロック装置（１０）。
【請求項５】
前記ロック解除位置にある前記インジケータアーム（３０）によって覆われる第２ロックインジケータ（３２）が前記金属製保持シート（２０）上に設けられることを特徴とする、請求項１から４のいずれか１項に記載のロック装置（１０）。
【請求項６】
前記第２ロックインジケータ（３２）と前記第２ロック解除インジケータ（３４）とが前記金属製保持シート（２０）の両面に配置されることを特徴とする、請求項５に記載のロック装置（１０）。
【請求項７】
前記第１ロックインジケータ（３１）は、前記インジケータアーム（３０）がロック解除位置にあるとき前記金属製保持シート（２０）によって覆われることを特徴とする、請求項１から６のいずれか１項に記載のロック装置（１０）。
【請求項８】
前記第１ロック解除インジケータ（３３）は、前記インジケータアーム（３０）がロック位置にあるとき前記金属製保持シート（２０）によって覆われることを特徴とする、請求項１から７のいずれか１項に記載のロック装置（１０）。
【請求項９】
前記第１ロックインジケータ（３１）と前記第１ロック解除インジケータ（３３）が前記表示領域（３９）の両面に配置されることを特徴とする、請求項１から８のいずれか１項に記載のロック装置（１０）。
【請求項１０】
前記金属製保持シート（２０）に貫通開口部（２６）が形成され、前記表示領域（３９）が前記貫通開口部と一直線になっていることを特徴とする、請求項１から９のいずれか１項に記載のロック装置（１０）。
【請求項１１】
前記ロック位置にある前記インジケータアーム（３０）が前記貫通開口部（２６）の外に配置されることを特徴とする、請求項１０に記載のロック装置（１０）。
【請求項１２】
前記ロック解除位置にある前記インジケータアーム（３０）が前記貫通開口部（２６）を通って突き出ることを特徴とする、請求項１０又は１１に記載のロック装置（１０）。
【請求項１３】
前記ロック装置（１０）をロック解除するために、前記インジケータアーム（３０）と共に運ばれるように前記インジケータアーム（３０）に連結されたロック解除レバー（１６）が設けられることを特徴とする、請求項１から１２のいずれか１項に記載のロック装置（１０）。
【請求項１４】
前記インジケータアーム（３０）と前記ロック解除レバー（１６）とが平行に伸びる軸を中心に旋回可能であることを特徴とする、請求項１３に記載のロック装置（１０）。
【請求項１５】
請求項１から１４のいずれか１項に記載の少なくとも１つのロック装置（１０）を備える車両シート（１）。
【発明の詳細な説明】
【技術分野】
【０００１】
本発明は、請求項１の前提部分の特徴を有する車両シート用ロック装置に関する。
本発明はまた、請求項１５の特徴を有する車両シートに関する。
【背景技術】
【０００２】
一般的なタイプのロック装置が、特許文献１から知られている。ロック装置をロック解除するために、ロック装置の固定要素と一体的に構成されたロック解除ボルトが設けられる。旋回軸として働く軸受ピンを中心にロック解除ボルトを旋回させることにより、ロック装置をロック解除することができる。
【０００３】
車両シートのユーザにとって、車両シートのすべてのロック装置が完全にロックされていることは極めて重要である。そうでなければ、車両シートは衝突の際に車両構造体から外れる可能性があり、ユーザの負傷につながる場合がある。ロック装置のロック状態の表示は、従って、ユーザにとって有用である。
【０００４】
ロック装置のロック状態は、ロック解除ボルトの角度位置から確認することができる。ロック解除ボルトは、従って、ロック装置がロックされているか又はロック解除されているかを示す。
【０００５】
しかしながら、ロック解除ボルトは、ロック装置及び車両シートに比べて相対的に小さい。また、個々のロック装置のロック解除ボルトは、車両シートのシート部材の下の比較的見るのが困難な場所に配置される。従って、ロック装置のロック状態は、目視で確認することが比較的困難である。特に、車両シートの複数のロック装置のロック状態を同時に把握することは困難である。
【０００６】
特許文献２には、ロック装置のロック状態を示すためのロックインジケータ及びロック解除インジケータを有するロック装置が開示されている。
【０００７】
特許文献３にも、ロック装置のロック状態を示すためのロックインジケータ及びロック解除インジケータを有するロック装置が開示されている。
【先行技術文献】
【特許文献】
【０００８】
【特許文献１】国際公開第２００４／０６９５８５号
【特許文献２】独国特許出願公開第１０２００４０６０５６５号明細書
【特許文献３】独国特許出願公開第１０２００４０６０５６５号明細書
【発明の概要】
【発明が解決しようとする課題】
【０００９】
本発明の目的は、冒頭で述べたタイプの車両シート用ロック装置を改良すること、特にロック装置のロック状態のインジケータの視認性を高めることである。
【課題を解決するための手段】
【００１０】
この目的は、本発明によれば、請求項１に記載される特徴を有するロック装置により達成される。個別に又は互いに組み合わせて使用することができる有利な実施形態は、従属請求項に記載される。
【００１１】
車両シート用の一般的なタイプのロック装置は、ロック装置のロック状態を示すための表示装置を備え、表示装置は、ロック装置がロックされているときに見える少なくとも１つのロックインジケータと、ロック装置がロック解除されているときに見える少なくとも１つのロック解除インジケータとを有し、表示装置は、ロック装置がロックされているときにロック位置にあり、ロック装置がロック解除されているときにロック解除位置にある少なくとも１つのインジケータアームを有し、インジケータアームは、第１ロックインジケータと第１ロック解除インジケータとを有する表示領域を備える。
【００１２】
本発明によれば、ロック位置にあるインジケータアームによって覆われる第２ロック解除インジケータが金属製保持シート上に設けられる。
【００１３】
ロック装置のロックされているロック状態とロック装置のロック解除されているロック状態の両方を、それによって、いずれの場合も明確に視認することができる。ロック装置のロック解除されているロック状態は、２つの異なる場所で、すなわち、第１ロック解除インジケータと第２ロック解除インジケータとで認知することができる。
【００１４】
特に対応する色識別によって、好ましくは緑色を施した面として構成される少なくとも１つのロックインジケータによって、及び／又は赤色を施した面として構成される少なくとも１つのロック解除インジケータによって、ロック装置のロック状態の表示の視認性が有利に向上する。
【００１５】
有利には、少なくとも１つのロックインジケータは、ロック装置がロック解除されているときに覆われる。
【００１６】
少なくとも１つのロック解除インジケータも、有利には、ロック装置がロックされているときに覆われる。
【００１７】
好ましくは、インジケータアームは、そのロック位置からロック解除位置に旋回することができるように支持される。
【００１８】
本発明の別の有利な実施形態によれば、ロック解除位置にあるインジケータアームによって覆われる第２ロックインジケータが金属製保持シートに設けられる。
【００１９】
好ましくは、第２ロックインジケータと第２ロック解除インジケータは、金属製保持シートの両面に配置される。
【００２０】
有利には、第１ロックインジケータは、この場合、インジケータアームがロック解除位置にあるときに金属製保持シートによって覆われる。
【００２１】
加えて又は代わりに、第１ロック解除インジケータも、有利には、インジケータアームがロック位置にあるときに金属製保持シートによって覆われる。
【００２２】
好ましくは、第１ロックインジケータと第１ロック解除インジケータは表示領域の両面に配置される。
【００２３】
本発明の有利な発展形態によれば、金属製保持シートには貫通開口部が形成され、表示領域は貫通開口部と一直線になっている。
【００２４】
インジケータアームがロック位置にあるとき、インジケータアームは貫通開口部の外に配置される。
【００２５】
インジケータアームがロック解除位置にあるとき、インジケータアームは貫通開口部を通って突き出る。
【００２６】
ロック装置をロック解除するために、有利にはロック解除レバーが設けられ、ロック解除レバーは、インジケータアームと共に運ばれるようにインジケータアームに連結される。
【００２７】
好ましくは、インジケータアームとロック解除レバーは、平行に延びる軸を中心に旋回させることができる。
【００２８】
上記目的はまた、本発明による少なくとも１つのロック装置を備えた車両シートによって達成される。
【００２９】
図面に示された有利な実施形態を参照して、本発明を以下でより詳細に説明する。しかしながら、本発明はこれらの実施形態に限定されるものではない。
【図面の簡単な説明】
【００３０】
【図１】タンブル位置にある車両シートの縦方向断面である。
【図２】タンブル位置にある図１の車両シートの側面図である。
【図３】ロック装置がロックされている状態の図１の囲まれた領域の拡大図である。
【図４】ロック装置がロック解除されている状態の図１の囲まれた領域の拡大図である。
【図５】ロック装置がロックされている状態の図２の囲まれた領域の拡大図である。
【図６】ロック装置がロック解除されている状態の図２の囲まれた領域の拡大図である。
【図７】車両シートの概略図である。
【発明を実施するための形態】
【００３１】
自動車用の車両シート１は、シート部材２と、シート部材２に取り付けられ、シート部材２に対して折り畳むことができる背もたれ３とを有する。ヘッドレスト４が、シート部材２とは反対側の背もたれ３の端部に配置される。
【００３２】
車両内の車両シート１の配置と従来の車両の進行方向によって、以下で使用される方向指示が定義される。この例では、地面に対して垂直に配向される方向を以下では鉛直方向と称し、鉛直方向に対して垂直且つ進行方向に対して垂直な方向を以下では横方向と称する。
【００３３】
車両シート１は、複数のロック装置１０を用いて車両構造体に固定することができる。この例では、２つのロック装置１０が進行方向における車両シート１の後方領域に設けられ、これらのロック装置１０の一方は進行方向右側に配置され、これらのロック装置１０の他方は進行方向左側に配置されている。２つの追加のロック装置１０が、進行方向における車両シート１の前方領域に設けられ、これらのロック装置１０の一方は進行方向右側に配置され、これらのロック装置１０の他方は進行方向左側に配置されている。
【００３４】
この例で説明する車両シート１は、車両の第２シート列のシートである。図１は横方向に対して垂直に車両シート１を通る断面であり、進行方向右側に配置されたロック装置１０が見えている。図２は車両シート１の側面図であり、進行方向左側に配置されたロック装置１０が見えている。
【００３５】
図３及び図４は、進行方向右側の車両シート１の前方領域に配置されたロック装置１０を示し、図５及び図６は、進行方向左側の車両シート１の前方領域に配置されたロック装置１０を示す。この例に示される全ての図において、視線方向は同じであり、すなわち、いずれの場合も、進行方向に対して右への横方向である。
【００３６】
ロック状態では、ロック装置１０の戻り止め１１が、車両構造体に配置されたピン１５の周りに係合する。ロック装置１０のロック解除状態では、戻り止め１１は、横方向に延びる軸を中心に離れた所へ旋回し、ピン１５を解放する。ロック解除のために、図示しない固定要素に固定されたロック解除レバー１６が横方向に延びる軸を中心に旋回し、それにより固定要素が戻り止め１１を解放する。このようなロック装置１０は、例えば、国際公開第２００４／０６９５８５号に記載され、その開示内容は、この点において参照により本明細書に明示的に含まれるものとする。
【００３７】
従来の移動位置に基づいて、背もたれ３は、シート部材２の上に折り畳むことができる。続いて後方ロック装置１０をロック解除することにより、図１及び図２に示すように、車両シート１の後方領域を上へ旋回させ、タンブル位置に移動させることができる。ガス圧縮ばね５が、車両シート１をタンブル位置に保持する。
【００３８】
以下により詳細に記載される２つの前方ロック装置１０をロック解除することにより、タンブル位置において、車両シート１を車両構造体から解放し、車両から取り外すことができる。
【００３９】
２つの前方ロック装置１０は、この例では、横方向に対して垂直に延びる平面に対して鏡面対称に構成される。２つ後方ロック装置１０を２つの前方ロック装置１０と同様に構成することも考えられる。
【００４０】
２つの前方ロック装置１０は各々、各ロック装置１０のロック状態を示すための表示装置８を有する。表示装置８は、従って、各ロック装置１０がロックされているか又はロック解除されているかを示す。
【００４１】
前方ロック装置１０の各々は、金属製保持シート２０によって車両シート１に固定される。ガス圧縮ばね５の端部も、金属製保持シート２０に取り付けられる。金属製保持シート２０は、主に縦（前後）方向及び鉛直方向に延びる。
【００４２】
金属製保持シート２０は、鉛直方向において下部に位置し且つガス圧縮ばね５が固定される保持領域２２と、鉛直方向において上部に位置し且つ保持領域２２に対して横方向にずれた機能領域２４とを備える。その結果、鉛直方向から見て機能領域２４と保持領域２２との間に貫通開口部２６が形成される。
【００４３】
表示装置８は、横方向に延びる軸を中心に旋回することができるように金属製保持シート２０に支持されたインジケータアーム３０を有する。戻り止め１１をその回りに旋回させることができる軸と、ロック解除レバー１６をその回りに旋回させることができる軸と、インジケータアーム３０をその回りに旋回させることができる軸とは、従って、横方向に互いに平行に延びる。
【００４４】
インジケータアーム３０とロック解除レバー１６は、相互に運ばれるように、この例ではほぞ及びスロットガイドを用いて連結される。インジケータアーム３０のその回転軸から離れた端部に、横方向に見て金属製保持シート２０の貫通開口部２６と一直線になった表示領域３９が設けられる。
【００４５】
ロック装置１０がロックされているとき、図３及び図５に示すように、インジケータアーム３０はロック位置にあり、表示領域３９は鉛直方向において実質的に金属製保持シート２０の機能領域２４と同じ高さに且つ貫通開口部２６の上に配置される。ロック位置にあるインジケータアーム３０は、従って、貫通開口部２６の外に配置される。
【００４６】
ロック装置１０がロック解除されているとき、図４及び図６に示すように、インジケータアーム３０はロック解除位置にあり、表示領域３９は貫通開口部２６に挿入され、鉛直方向において機能領域２４の下に且つ実質的に金属製保持シート２０の保持領域２２と同じ高さに配置される。ロック解除位置にあるインジケータアーム３０は、従って、貫通開口部２６を通って延びる。
【００４７】
横方向において内側に面する側、すなわち、車両シートの中心に向けられた側に、表示領域３９は、図３に見られる第１ロックインジケータ３１を有する。横方向において外側に面する側、すなわち、車両シートの中心から離れる方向へ向けられた側に、表示領域３９は、図６に見られる第１ロック解除インジケータ３３を有する。
【００４８】
横方向において内側に面する側に、機能領域２４は、図４に見られる第２ロック解除インジケータ３４を有する。横方向において外側に面する側に、保持領域２２は、図５に見られる第２ロックインジケータ３２を有する。
【００４９】
ロックインジケータ３１，３２は、この例では、緑色を施した面として構成され、車両シート１が車両構造体に固定されていることを示す。ロック解除インジケータ３３，３４は、この例では赤色を施した面として構成され、車両シート１を車両構造体から解放することができることを示す。
【００５０】
ロック装置１０がロックされてインジケータアーム３０がロック位置にあるとき、第１ロックインジケータ３１は、横方向内側から見た場合、その結果、図３に示すようにインジケータアーム３０の表示領域３９に見ることができ、横方向外側から見た場合、第２ロックインジケータ３２は、図５に示すように金属製保持シート２０の保持領域２２に見ることができる。第２ロック解除インジケータ３４は、この場合、インジケータアーム３０の表示領域３９によって覆われ、第１ロック解除インジケータ３３は、この場合、金属製保持シート２０の機能領域２４によって覆われる。
【００５１】
ロック装置１０がロック解除されてインジケータアーム３０がロック解除位置にあるとき、第１ロック解除インジケータ３３は、横方向外側から見た場合、その結果、図６に示すようにインジケータアーム３０の表示領域３９に見ることができ、横方向内側から見た場合、第２ロック解除インジケータ３４は、図４に示すように金属製保持シート２０の機能領域２４に見ることができる。第２ロックインジケータ３２は、この場合、インジケータアーム３０の表示領域３９によって覆われ、第１ロックインジケータ３１は、この場合、金属製保持シート２０の保持領域２２によって覆われる。
【００５２】
上記明細書、特許請求の範囲及び図面において開示された特徴は、本発明をその様々な形態で実施するために、個別にと組み合わせでの両方で重要であり得る。
【符号の説明】
【００５３】
１  車両シート
２  シート部材
３  背もたれ
４  ヘッドレスト
５  ガス圧縮ばね
８  表示装置
１０  ロック装置
１１  戻り止め
１５  ピン
１６  ロック解除レバー
２０  金属製保持シート
２２  保持領域
２４  機能領域
２６  貫通開口部
３０  インジケータアーム
３１  第１ロックインジケータ
３２  第２ロックインジケータ
３３  第１ロック解除インジケータ
３４  第２ロック解除インジケータ
３９  表示領域
【図１】
0005934842.tif 000002
【図２】
0005934842.tif 000003
【図３】
0005934842.tif 000004
【図４】
0005934842.tif 000005
【図５】
0005934842.tif 000006
【図６】
0005934842.tif 000007
【図７】
0005934842.tif 000008